(57)【要約】【課題】ブレーキペダルと間違えてアクセルペダルを踏み込むことによる自動車の暴走を確実に防止できるようにする。【解決手段】アクセルペダル２を備えたアクセルアーム１と、運転席床面に突設され、先端面が、非加速位置にあるアクセルペダルの裏面に当接することにより、アクセルアームの回動を阻止するストッパー６を備える。アクセルアームの下側アーム部分は、アクセルペダルの裏面がストッパーの先端面に当接してアクセルアームの非加速位置から前方への回動が阻止される第１の位置（実線）と、アクセルペダルの裏面がストッパーの先端面から退避してアクセルアーム全体が非加速位置および最大加速位置の間で回動し得る第２の位置（仮想線）をとり得る。運転席床面と下側アーム部分との間には下側アーム部分を常時第１の位置に向かって付勢するバネ５が取付けられ、アクセルペダルの表面の右端縁にはアクセルペダル操作板１１が突設される。【選択図】図１
2005132197.tif 000002
【特許請求の範囲】
【請求項１】
オートマチック自動車のアクセルペダル装置であって、
運転席床面の前方においてブレーキペダルの右側に間隔をあけて配置され、上端が前記運転席床面に設けられた旋回軸に取付けられて、垂直面内において、非加速位置と、前記非加速位置から前方に回動した最大加速位置との間で回動し得るアクセルアームと、
前記アクセルアームの下端に取付けられたアクセルペダルと、
前記運転席床面と前記アクセルアームとの間、または前記アクセルアームと前記旋回軸との間に取付けられ、前記アクセルアームを常時前記非加速位置に向けて付勢する弾性手段と、
前記運転席床面に突設され、その先端面が、前記非加速位置にある前記アクセルアームの前記アクセルペダルの裏面に当接することにより、前記アクセルアームの前方への回動を阻止するストッパーを備え、
前記アクセルアームは、互いに連結された上側アーム部分、および前記アクセルペダルを備えた下側アーム部分からなり、前記下側アーム部分は、垂直面を横切る傾斜面内において前記上側アーム部分に対し回動可能に配置されて、少なくとも、前記アクセルペダルの裏面が前記ストッパーの先端面に当接することによって前記アクセルアームの前記非加速位置から前方への回動が阻止される第１の位置と、前記第１の位置から右向きに回動し、前記アクセルペダルの裏面が前記ストッパーの先端面から退避することによって前記上側および下側アーム部分が一体となって前記非加速位置および前記最大加速位置の間で回動し得る第２の位置とをとり得るようになっており、
前記上側および下側アーム部分の連結部には、前記下側アーム部分の前記第１の位置から左側への回動運動を規制する回動規制手段が設けられ、
前記運転席床面と前記下側アーム部分との間、または前記下側アーム部分と前記上側および下側アーム部分の連結部との間には、前記下側アーム部分を常時前記第２の位置から前記第１の位置に向かって付勢する第２の弾性手段が取付けられ、
前記アクセルペダルの表面の右端縁には、垂直なアクセルペダル操作板が設けられていることを特徴とするアクセルペダル装置。
【請求項２】
前記ストッパーは、その先端面が、前記第１の位置にある前記下側アーム部分の前記アクセルペダルの裏面に当接することによって前記アクセルアームの前記非加速位置から前方への回動を阻止する制止位置と、前記制止位置から前記ブレーキペダル側に退避して、前記先端面が前記第１の位置にある下側アームの前記アクセルペダルの裏面に当接しないようにすることによって、前記第１の位置にある前記下側アーム部分と前記上側アーム部分との一体的な前記非加速位置および前記最大加速位置の間における回動を可能とする制止解除位置とをとり得るようになっており、さらに、
前記ストッパーを前記制止位置および前記制止解除位置の間において運動可能に案内するガイド手段と、
前記ストッパーを前記制止位置および前記制止解除位置の間において動かすストッパー駆動手段と、
前記ストッパー駆動手段の動作を制御することにより、前記オートマチック自動車が走行を開始するまでは前記ストッパーを前記制止位置に位置させるが、前記オートマチック自動車の走行開始後に予め定められた条件が満たされたことが検知されたとき、前記ストッパーを、前記制止位置から前記制止解除位置まで動かすようにするストッパー制御部を備えていることを特徴とする請求項１に記載のアクセルペダル装置。
【請求項３】
前記ストッパー制御部は、前記オートマチック自動車の自動変速装置のレバーが走行レンジまたは後進レンジに入れられて走行が開始された後、前記ブレーキペダルが踏み込まれたことを検知したとき、前記ストッパーを前記制止位置から前記制止解除位置まで動かすようになっていることを特徴とする請求項２に記載のアクセルペダル装置。
【請求項４】
前記運転席床面に配置され、前記アクセルアームの前記下側アーム部分が前記第１の位置から前記第２の位置まで回動したことを検出するセンサーを、さらに備え、前記ストッパー制御部は、前記オートマチック自動車の自動変速装置のレバーが走行レンジまたは後進レンジに入れられた後、前記センサーによって前記下側アーム部分が前記第１の位置から前記第２の位置まで回動したことが検出されたとき、前記ストッパーを前記制止位置から前記制止解除位置まで動かすようになっていることを特徴とする請求項２に記載のアクセルペダル装置。
【発明の詳細な説明】
【技術分野】
【０００１】
本発明は、ブレーキペダルと間違えて踏み込むことによる暴走を防止する機能を備えた自動車のアクセルペダル装置に関するものである。
【背景技術】
【０００２】
オートマチック自動車においては、アクセルペダルはブレーキペダルの右側に配置され、ブレーキペダルと同様に右足で踏み込み操作されるようになっている。この場合、アクセルペダルの踏み込みのストロークは、ブレーキの踏み込みのストロークよりかなり長く設定されていて、運転者が、アクセルペダルをブレーキペダルと間違えて操作することがないように設計されている。
【０００３】
しかしながら、自動車の発進時、走行時または停止時に、運転者の勘違いからブレーキペダルと間違えてアクセルペダルが踏み込まれ、自動車が暴走して事故につながることがたびたび生じている。
その対策として、オートマチック自動車が駐車状態から走行を開始するとき、自動変速機の操作レバーのＰ（パーキング）位置から任意の走行位置、例えばＤ（ドライブ）位置への切り換えは、必ずブレーキペダルが踏み込まれた状態でないとできないようになっている。それにもかかわらず、このような事故は依然として後を絶たない。
【０００４】
そして、アクセルペダルの誤操作による自動車の暴走を防止するための装置が、これまでに種々提案されている。
例えば、アクセルペダル下面に係止レバー上端を上下回動自在に枢着し、係止レバー下部にレバーを枢着してコロを枢着し、係止レバーの下方に平行に配設した第１揺動リンク上端と、床面に下端を枢着した第２揺動レバー上端を枢着し、係止レバーと一体の摺動レバーを第１揺動リンクに摺動自在に取付け、コロを床面上に接触させ、係止レバー下端に固定した係止片の回動軌跡下方床面に係止溝を形成し、アクセルペダルに一定以上の衝撃力が加わった時、係止レバーを瞬時に下方に摺動して下端の係止片を床面の係止溝に係止してアクセルペダルの踏み込みを瞬時にストップするようにし、アクセルペダルをブレーキと間違えて突発的に踏み込むとアクセルペダルの動きを瞬時にストップする装置が提案されている（特許文献１参照）。
しかし、アクセルペダルを踏み込む力の程度は、運転者によってまた運転状況によって異なるにもかかわらず、この装置では、どの程度の踏み込みに対してアクセルペダルの動きをストップさせるかを調整することが難しい。したがって、この装置では、アクセルペダルの操作が正常になされている場合でも、アクセルペダルの動きがストップされてしまい、運転に支障をきたすおそれがある。
【０００５】
また、従来技術において、運転席の床面前方に軸受を傾斜状に設け、先端にアクセルペダルが設けられたアームの基端部を軸受に支持することにより、アクセルペダルが傾斜平面内で軸受を支点として旋回自在になるように配置し、アクセルペダルが旋回により最下位に位置したときに低速安定走行状態となるようにアームをスロットバルブ等に連繋してエンジンの回転数を制御するようにした装置が存在する（特許文献２参照）。
この装置においては、アクセルペダルを左右方向に操作するようにして、ブレーキペダルの操作方向と異ならしめることによって、アクセルペダルの誤操作を防止するようになっている。しかしながら、右足の左右方向への動きによるアクセルペダルの操作から、右足の前後方向への動きによるブレーキペダルの操作への切り換えに時間を要し、急停止が必要な時に適切なブレーキ操作が行えなくなるという問題がある。
【０００６】
【特許文献１】特開平５−１８５８６１号公報
【特許文献２】特開平７−６３０７４号公報
【発明の開示】
【発明が解決しようとする課題】
【０００７】
したがって、本発明の課題は、通常の運転時には、これまでどおりアクセルペダルおよびブレーキペダルの適切な操作が行えると同時に、ブレーキペダルと間違えてアクセルペダルを踏み込むことによる自動車の暴走を確実に防止できるようにすることにある。
【課題を解決するための手段】
【０００８】
上記課題を解決するため、本発明によれば、オートマチック自動車のアクセルペダル装置であって、運転席床面の前方においてブレーキペダルの右側に間隔をあけて配置され、上端が前記運転席床面に設けられた旋回軸に取付けられて、垂直面内において、非加速位置と、前記非加速位置から前方に回動した最大加速位置との間で回動し得るアクセルアームと、前記アクセルアームの下端に取付けられたアクセルペダルと、前記運転席床面と前記アクセルアームとの間、または前記アクセルアームと前記旋回軸との間に取付けられ、前記アクセルアームを常時前記非加速位置に向けて付勢する弾性手段と、前記運転席床面に突設され、その先端面が、前記非加速位置にある前記アクセルアームの前記アクセルペダルの裏面に当接することにより、前記アクセルアームの前方への回動を阻止するストッパーを備え、前記アクセルアームは、互いに連結された上側アーム部分、および前記アクセルペダルを備えた下側アーム部分からなり、前記下側アーム部分は、垂直面を横切る傾斜面内において前記上側アーム部分に対し回動可能に配置されて、少なくとも、前記アクセルペダルの裏面が前記ストッパーの先端面に当接することによって前記アクセルアームの前記非加速位置から前方への回動が阻止される第１の位置と、前記第１の位置から右向きに回動し、前記アクセルペダルの裏面が前記ストッパーの先端面から退避することによって前記上側および下側アーム部分が一体となって前記非加速位置および前記最大加速位置の間で回動し得る第２の位置とをとり得るようになっており、前記上側および下側アーム部分の連結部には、前記下側アーム部分の前記第１の位置から左側への回動運動を規制する回動規制手段が設けられ、前記運転席床面と前記下側アーム部分との間、または前記下側アーム部分と前記上側および下側アーム部分の連結部との間には、前記下側アーム部分を常時前記第２の位置から前記第１の位置に向かって付勢する第２の弾性手段が取付けられ、前記アクセルペダルの表面の右端縁には、垂直なアクセルペダル操作板が設けられていることを特徴とするアクセルペダル装置が構成される。
【０００９】
本発明の好ましい実施例によれば、前記ストッパーは、その先端面が、前記第１の位置にある前記下側アーム部分の前記アクセルペダルの裏面に当接することによって前記アクセルアームの前記非加速位置から前方への回動を阻止する制止位置と、前記制止位置から前記ブレーキペダル側に退避して、前記先端面が前記第１の位置にある下側アームの前記アクセルペダルの裏面に当接しないようにすることによって、前記第１の位置にある前記下側アーム部分と前記上側アーム部分との一体的な前記非加速位置および前記最大加速位置の間における回動を可能とする制止解除位置とをとり得るようになっており、さらに、前記ストッパーを前記制止位置および前記制止解除位置の間において運動可能に案内するガイド手段と、前記ストッパーを前記制止位置および前記制止解除位置の間において動かすストッパー駆動手段と、前記ストッパー駆動手段の動作を制御することにより、前記オートマチック自動車が走行を開始するまでは前記ストッパーを前記制止位置に位置させるが、前記オートマチック自動車の走行開始後に予め定められた条件が満たされたことが検知されたとき、前記ストッパーを、前記制止位置から前記制止解除位置まで動かすようにするストッパー制御部を備えている。
【００１０】
本発明のさらに好ましい実施例によれば、前記ストッパー制御部は、前記オートマチック自動車の自動変速装置のレバーが走行レンジまたは後進レンジに入れられて走行が開始された後、前記ブレーキペダルが踏み込まれたことを検知したとき、前記ストッパーを前記制止位置から前記制止解除位置まで動かすようになっている。
本発明の別の好ましい実施例によれば、前記アクセルペダル装置は、前記運転席床面に配置され、前記アクセルアームの前記下側アーム部分が前記第１の位置から前記第２の位置まで回動したことを検出するセンサーを、さらに備え、前記ストッパー制御部は、前記オートマチック自動車の自動変速装置のレバーが走行レンジまたは後進レンジに入れられた後、前記センサーによって前記下側アーム部分が前記第１の位置から前記第２の位置まで回動したことが検出されたとき、前記ストッパーを前記制止位置から前記制止解除位置まで動かすようになっている。
本発明の別の好ましい実施例によれば、前記ストッパー制御部は、前記オートマチック自動車が予め定められた速度以上で走行中であることを検知したとき、前記ストッパーを前記制止位置から前記制止解除位置まで動かすようになっている。
【発明の効果】
【００１１】
本発明によれば、運転者は、オートマチック自動車の走行開始時にアクセルペダル（アクセルアーム）を非加速位置から踏み込む際に、必ず、右足で、弾性付勢力に抗してアクセルペダル操作板を右向きに押して、アクセルアームの下側アーム部分を第１の位置から第２の位置まで回動させなければならない。したがって、オートマチック自動車の走行開始時に、運転者がブレーキペダルと間違えてアクセルペダルを踏み込むようなことがあっても、アクセルペダルはストッパーによって非加速位置に確実に制止され、自動車が暴走することが防止される。
【発明を実施するための最良の形態】
【００１２】
以下、添付図面を参照して、本発明の好ましい実施例について説明する。図１は、本発明の１実施例によるアクセルペダル装置を示したものであり、（Ａ）はアクセルペダル装置全体の斜視図であり、（Ｂ）はアクセルアームの連結部の拡大斜視図である。
図１を参照して、本発明によるアクセルペダル装置は、運転席床面の前方であってブレーキペダル１０の右側に間隔をあけた位置に配置されたアクセルアーム１を備えている。アクセルアーム１は、その上端が、運転席床面に支持部材７を介して支持された旋回軸８に対し回動可能に取付けられ、垂直面内において、非加速位置と、非加速位置から前方に回動した最大加速位置との間で回動し得るようになっている。
アクセルペダル装置は、また、アクセルアーム１の下端に取付けられたアクセルペダル２と、運転席床面とアクセルアーム１との間に取付けられ、アクセルアーム１を常時非加速位置に向けて付勢するバネ（図示されない）を備えている。
【００１３】
本発明のアクセルペダル装置は、さらに、運転席床面に突設された実質上円柱状のストッパー６を備えている。ストッパー６は、その先端面が、非加速位置にあるアクセルアーム１のアクセルペダル２の裏面に当接することにより、アクセルアーム１の前方への回動を阻止するようになっている。
【００１４】
アクセルアーム１は、上側アーム部分３、およびアクセルペダル２を備えた下側アーム部分４からなっている。下側アーム部分４の上端には、互いに間隔をあけて配置された一対の円形固定板４ａ、４ｂが設けられ、上側アーム部分３の下端には、固定板４ａ、４ａの間の間隙に対応する厚さの円柱状部分３ａが形成されており、下側アーム部分４の支持板４ａ、４ｂの間に上側アーム部分３の円柱状部分３ａが嵌め込まれるとともに、それらが互いに連結ピン１７によって連結される。それによって、下側アーム部分４は、垂直面を横切る傾斜面内において上側アーム部分３に対し回動可能に配置されて、少なくとも、アクセルペダル２の裏面がストッパー６の先端面に当接することによってアクセルアームの非加速位置から前方への回動が阻止される第１の位置（図１の実線で示された位置）と、第１の位置から右向きに回動し、アクセルペダル２の裏面がストッパー６の先端面から退避することによって上側および下側アーム部分３、４が一体となって非加速位置および最大加速位置の間で回動し得る第２の位置（図１の仮想線で示された位置）とをとり得るようになっている。
また、下側アーム部分４の一方の固定板４ａには、その外周縁に、他方の固定板４ａ側に突出する垂直な係止板１９が設けられるとともに、上側アーム部分３の円柱状部分３ａの外周面には、半径方向に突出する突起２０が設けられる。そして、下側アーム部分４が第１の位置にあるとき、固定板４ａの係止板１９が、時計まわりに上側アーム部分３の突起２０に当接することにより、下側アーム部分４の第１の位置から左側への回動運動が規制されるようになっている。
【００１５】
さらに、バネ５の一端が円柱状の固定ピン９によって運転席床面に固定されるとともに、他端が下側アーム部分４に取付けられ、下側アーム部分４を常時第２の位置から第１の位置に向かって付勢するようになっている。この場合、バネ５の一端は、固定ピン９における、運転席床面から、下側アーム部分４および運転席床面の間の距離に対応する高さの位置に固定されるのが好ましい。また、この下側アーム部分４を付勢するための構成はこれに限定されるものではなく、例えば、上側および下側アーム部分の連結部１７にリング状のバネを組み込むようにしてもよい。
また、アクセルペダル２の表面の右端縁には、アクセルペダル操作板１１が突設される。
【００１６】
この構成によれば、運転者は、アクセルペダル２（アクセルアーム１）を非加速位置から踏み込むとき、必ず、右足で、バネ５の弾性付勢力に抗してアクセルペダル操作板１１を右向きに押して、アクセルアーム３の下側アーム部分４を第１の位置から第２の位置まで回動させなければならない。そして、運転者がブレーキペダル１０と間違えてアクセルペダル２を踏み込むようなことがあっても、アクセルペダル２は、ストッパー６によって非加速位置に確実に制止され、自動車が暴走することが防止される。
【００１７】
図１の実施例では、自動変速装置のレバーが走行レンジまたは後進レンジに入れられて自動車の走行が開始された後、減速のために運転者の右足がアクセルペダル２からブレーキペダル１０に踏み換えられるたびに、アクセルアーム１が非加速位置に戻ると同時に下側アーム部分４は第１の位置に戻るので、次の加速に際して、運転者は、常に、右足によってアクセルペダル操作板１１を右向きに押し、下側アーム部分４を第１の位置から第２の位置まで回動させる必要がある。図２に示された実施例は、一旦自動車が走行を開始して通常運転がなされている間は、一般の自動車のアクセルペダル装置と同様に、アクセルペダル２の前後方向の踏み込み操作を行うだけでよいようにしたものである。なお、図２において、図１に示されたものと同一の構成要素には同一の番号を付し、無用な説明の繰り返しを避けることにする。
【００１８】
図２を参照して、この実施例では、ストッパー６は、運転席床面に固定された支持台１２（球面軸受）に取付けられて、下端のまわりに傾倒自在に支持、案内されている。それによって、ストッパー６は、その先端面が、第１の位置にあるアクセルアーム１の下側アーム部分４のアクセルペダル２の裏面に当接することによってアクセルアーム１の非加速位置から前方への回動を阻止する制止位置（図２に示される位置）と、制止位置からブレーキペダル１０側に退避して、先端面が第１の位置にある下側アーム４のアクセルペダル２の裏面に当接しないようにすることによって、第１の位置にある下側アーム部分４と上側アーム部分３との一体的な非加速位置および最大加速位置の間における回動を可能とする制止解除位置（図３に示される位置）とをとり得るようになっている。
なお、ストッパー６を下端のまわりに傾倒自在に支持、案内する構成とする代わりに、ストッパー６を、運転席床面に取付けられたガイドレールに沿ってスライド可能に案内することによって、制止位置および制止解除位置の間において運動可能とする構成とすることもできる。
【００１９】
この実施例では、さらに、ストッパー６を制止位置および制止解除位置の間において動かすストッパー駆動手段を備えている。ストッパー駆動手段は、好ましくは、先端がストッパー６の一側面に連結ピン１５によって旋回可能に連結されたロッド１３と、ストッパー６の左側に間隔をあけて、ブレーキペダル１０の操作の妨げとならない位置に取付けられるとともに、ロッド１３の後端が連結され、ロッド１３をその軸方向に沿って左右に往復運動させるにより、ストッパー６を制止位置および制止解除位置の間において動かす電磁的駆動装置１４とから構成されている。この場合、電磁的駆動装置の代わりに、空気圧または油圧駆動装置を使用することもできる。
さらにこの実施例では、図４に示されるように、ストッパー駆動手段１３〜１５の動作を制御することにより、オートマチック自動車が走行を開始するまではストッパー６を制止位置に位置させるが、オートマチック自動車の走行開始後に予め定められた条件が満たされたことが検知されたとき、ストッパー６を制止位置から制止解除位置まで動かすストッパー制御部１６を備えている。
【００２０】
ストッパー制御部１６は、例えば、オートマチック自動車の自動変速装置のレバー１８が走行レンジまたは後進レンジに入れられて走行が開始された後、ブレーキペダル１０が踏み込まれたことを検知したとき、ストッパー６を制止位置から制止解除位置まで動かすようになっている。
【００２１】
あるいは、アクセルペダル装置は、運転席床面に配置され、アクセルアーム１の下側アーム部分４が第１の位置から第２の位置まで回動したことを検出する適当な公知のセンサーを備えており、ストッパー制御部１６は、自動変速装置のレバー１８が走行レンジまたは後進レンジに入れられた後、センサーによって下側アーム部分４が第１の位置から第２の位置まで回動したことが検出されたとき、ストッパー６を制止位置から制止解除位置まで動かすようになっている。この構成によれば、自動変速装置のレバー１８をパーキングレンジから走行レンジまたは後進レンジに切り替える際に必ずブレーキペダル１０の踏み込みを必要とする暴走防止機構が備えられたオートマチック自動車の場合における、走行開始時のアクセルペダルの誤った踏み込みによる暴走を確実に防止することができる。
【００２２】
本発明の別の実施例によれば、ストッパー制御部１６は、オートマチック自動車が予め定められた速度以上で走行中であることを検知したとき、ストッパー６を制止位置から制止解除位置まで動かすようになっている。
【図面の簡単な説明】
【００２３】
【図１】本発明の１実施例によるアクセルペダル装置を示したものであり、（Ａ）はアクセルペダル装置全体の斜視図であり、（Ｂ）はアクセルアームの連結部の拡大斜視図である。
【図２】本発明の別の実施例によるアクセルペダル装置の斜視図であり、ストッパーが制止位置にある状態を示した図である。
【図３】ストッパーが制止解除位置にある状態を示した図２に類似の図である。
【図４】図２の実施例におけるストッパーの制御系を概略的に示した図である。
【符号の説明】
【００２４】
１  アクセルアーム
２  アクセルペダル
３  上側アーム部分
４  下側アーム部分
５  バネ
６  ストッパー
７  支持部材
８  旋回軸
９  固定ピン
１０  ブレーキペダル
１１  アクセルペダル操作板
１２  支持台
１３  ロッド
１４  電磁的駆動装置
１５  連結ピン
１６  ストッパー制御部
１７  連結ピン
１９  制止板
２０  突起
【図１】
2005132197.tif 000003
【図２】
2005132197.tif 000004
【図３】
2005132197.tif 000005
【図４】
2005132197.tif 000006